(57)【要約】【課題】物品を出し入れする際のトレイのがたつきを抑制することができ、且つミラーキャビネットからのトレイの脱落を効果的に防ぐことが可能な洗面化粧台を提供する。【解決手段】本発明にかかる洗面化粧台１００の代表的な構成は、ミラーキャビネット１２０、およびミラーキャビネットのミラーの側方に着脱可能なトレイ１３０を備え、ミラーキャビネットは、横方向に長いスリット状の長穴１２６を有し、トレイは、長穴に引っかかるフック１４０を背面に有し、フックは、トレイから延びる水平部１４２と、水平部の先端から下方に延びる垂直部１４４と、垂直部の側面から延長しミラーキャビネットの背面に嵌合するアーム１４６と、を有し、さらにミラーキャビネットの背面には、アームの上側に当接して、装着したトレイのアームの上方への移動を規制する突起（ひさし１２８の側壁１２８ａ）が形成されていることを特徴とする。【選択図】図１
2018015115.tif 000002
【特許請求の範囲】
【請求項１】
ミラーキャビネット、および該ミラーキャビネットのミラーの側方に着脱可能なトレイを備える洗面化粧台であって、
前記ミラーキャビネットは、横方向に長いスリット状の長穴を有し、
前記トレイは、前記長穴に引っかかるフックを背面に有し、
前記フックは、
前記トレイから延びる水平部と、
前記水平部の先端から下方に延びる垂直部と、
前記垂直部の側面から延長し前記ミラーキャビネットの背面に嵌合するアームと、
を有し、
さらに前記ミラーキャビネットの背面には、前記アームの上側に当接して、装着した前記トレイのアームの上方への移動を規制する突起が形成されていることを特徴とする洗面化粧台。
【請求項２】
前記突起は、前記長穴の上側に配置され下方に向かって開口するひさしの側壁であることを特徴とする請求項１に洗面化粧台。
【請求項３】
ミラーキャビネット、および該ミラーキャビネットのミラーの側方に着脱可能なトレイを備える洗面化粧台であって、
前記ミラーキャビネットは、横方向に長いスリット状の長穴を有し、
前記トレイは、前記長穴に引っかかるフックを背面に有し、
前記フックは、
前記トレイから延びる水平部と、
前記水平部の先端から上方に延びる垂直部と、
前記垂直部の側面から延長し前記ミラーキャビネットの背面に嵌合するアームと、
を有し、
さらに前記ミラーキャビネットの背面には、前記アームの下側に当接して、装着した前記トレイのアームの下方への移動を規制する突起が形成されていることを特徴とする洗面化粧台。
【請求項４】
前記突起は、前記長穴の下側に配置され上方に向かって開口するポケットの側壁であることを特徴とする請求項３に記載の洗面化粧台。
【発明の詳細な説明】
【技術分野】
【０００１】
本発明は、ミラーキャビネット、およびミラーキャビネットのミラーの側方に着脱可能なトレイを備える洗面化粧台に関するものである。
【背景技術】
【０００２】
従来から、浴室に隣接して設けられる脱衣所などには、洗面化粧台が設置されている。洗面化粧台は、洗面カウンターとミラーキャビネットとから構成される。例えば特許文献１では、ミラーキャビネットの鏡の側方に収納部としてのトレイが配置されている。これにより、洗面化粧台において頻繁に使用する物品をトレイに収納することができ、利便性を高めることができる。
【先行技術文献】
【特許文献】
【０００３】
【特許文献１】特開２０００−２９６０６７号公報
【発明の概要】
【発明が解決しようとする課題】
【０００４】
ミラーキャビネットにトレイを装着する構造としては、特許文献１に開示されているように、ミラーキャビネット側に係合孔を形成し、トレイの背面に設けられたフック状の係止片を係合孔に係止する構成が一般的である。しかしながら、特許文献１のような従来の構成であると、係止片を係合孔に係止するためには、係合孔の高さ方向の幅を係止片の高さと同等またはそれ以上とする必要がある。このため、トレイに物品を収納したり、トレイから物品を取り出したりする際にトレイにガタつきが生じてしまう。
【０００５】
また特許文献１の構成であると、トレイに対して上方向からかかる荷重に対しては係止片の外れが生じにくいが、下方向からの荷重がトレイにかかると係止片が係合孔から外れてしまうおそれがある。例えば、トレイに下から手をぶつけてしまったときに、トレイが外れて収納物ごと落下し、散乱してしまうおそれがある。
【０００６】
本発明は、このような課題に鑑み、物品を出し入れする際のトレイのがたつきを抑制することができ、且つミラーキャビネットからのトレイの脱落を効果的に防ぐことが可能な洗面化粧台を提供することを目的としている。
【課題を解決するための手段】
【０００７】
上記課題を解決するために、本発明にかかる洗面化粧台の代表的な構成は、ミラーキャビネット、およびミラーキャビネットのミラーの側方に着脱可能なトレイを備える洗面化粧台であって、ミラーキャビネットは、横方向に長いスリット状の長穴を有し、トレイは、長穴に引っかかるフックを背面に有し、フックは、トレイから延びる水平部と、水平部の先端から下方に延びる垂直部と、垂直部の側面から延長しミラーキャビネットの背面に嵌合するアームと、を有し、さらにミラーキャビネットの背面には、アームの上側に当接して、装着したトレイのアームの上方への移動を規制する突起が形成されていることを特徴とする。
【０００８】
上記構成によれば、フックを上側からスリット状の長穴に引っかけることにより、トレイがミラーキャビネットに装着される。そして、フックを長穴に引っかけた状態で、ミラーキャビネットの背面の突起側に向かってトレイをスライドさせる。これにより、アームの上側に突起が当接し、アームの上方への移動が規制され、トレイのがたつきが抑制される。
【０００９】
また上記構成ではフックは下向きの逆Ｌ字状であるため、トレイは、上方向からの荷重に対してはミラーキャビネットから外れにくい。そして、下方向からの荷重かかった際、上述したようにアームの上方への移動が突起によって規制され、アームは突起に突き当たった状態となる。これにより、フックひいてはトレイの上方への移動も規制されるため、下方向からの荷重がかかった際におけるミラーキャビネットからのトレイの脱落を好適に防ぐことができる。
【００１０】
上記突起は、長穴の上側に配置され下方に向かって開口するひさしの側壁であるとよい。かかる構成によれば、長穴の上側にひさしが設けられていることにより、長穴からの埃等のトレイへの入り込みを好適に防ぐことができる。またアームの移動を規制する突起としてひさしの側壁を利用することにより、ミラーキャビネットの背面の形状を簡略化しつつ、アームの移動を規制する効果を得ることが可能である。
【００１１】
上記課題を解決するために、本発明にかかる洗面化粧台の他の構成は、ミラーキャビネット、およびミラーキャビネットのミラーの側方に着脱可能なトレイを備える洗面化粧台であって、ミラーキャビネットは、横方向に長いスリット状の長穴を有し、トレイは、長穴に引っかかるフックを背面に有し、フックは、トレイから延びる水平部と、水平部の先端から上方に延びる垂直部と、垂直部の側面から延長しミラーキャビネットの背面に嵌合するアームと、を有し、さらにミラーキャビネットの背面には、アームの下側に当接して、装着したトレイのアームの下方への移動を規制する突起が形成されていることを特徴とする。
【００１２】
上記構成のようにフックを上向きのＬ字状とする場合においても、突起によってフックの下方への移動が規制される。したがって、上記と同様の効果を得ることができる。また上記構成にようにフックがＬ字状であると、トレイは、下方向からの荷重に対してはキャビネットから外れにくい。そして、上方向からの荷重かかった際、アームの下方への移動が突起によって規制されることにより、フックの上方への移動も規制される。このため、上方向からの荷重がかかった際におけるミラーキャビネットからのトレイの脱落を好適に防ぐことができる。
【００１３】
上記突起は、長穴の下側に配置され上方に向かって開口するポケットの側壁であるとよい。かかる構成によれば、長穴の下側にポケットが設けられていることにより、ミラーキャビネットの背面に結露した水滴を、ポケットを通じてミラーキャビネットの表側に排出することができる。またアームの移動を規制する突起としてポケットの側壁を利用することにより、ミラーキャビネットの背面の形状を簡略化しつつ、アームの移動を規制する効果を得ることが可能である。
【発明の効果】
【００１４】
本発明によれば物品を出し入れする際のトレイのがたつきを抑制することができ、且つミラーキャビネットからのトレイの脱落を効果的に防ぐことが可能な洗面化粧台を提供することができる。
【図面の簡単な説明】
【００１５】
【図１】第１実施形態にかかる洗面化粧台を例示する図である。
【図２】図１に示すトレイの斜視図である。
【図３】図１に示すトレイの６面図である。
【図４】ミラーキャビネットを背面側から観察した図である。
【図５】ミラーキャビネットへのトレイの取付について説明する図である。
【図６】第２実施形態の洗面化粧台を説明する図である。
【図７】突起の他の形状を例示する図である。
【発明を実施するための形態】
【００１６】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１７】
（第１実施形態）
図１は、第１実施形態にかかる洗面化粧台１００を例示する図である。図１に例示するように、本実施形態の洗面化粧台１００は、洗面カウンター１１０およびミラーキャビネット１２０を含んで構成される。洗面カウンター１１０は、湯水を供給する水栓１１２を備えた洗面ボール１１６を備えている。また洗面ボール１１６の下方には収納庫１１８が設けられている。
【００１８】
ミラーキャビネット１２０は、基材にミラー１２２が支持されていて、その側方には照明装置１２４が配置される。ミラーキャビネット１２０は、ミラー１２２の側方に着脱可能なトレイ１３０を備えている。
【００１９】
図２は、図１に示すトレイ１３０の斜視図であり、トレイ１３０を背面側から観察した状態を示している。図３は、図１に示すトレイ１３０の６面図である。図２および図３に示すように、トレイ１３０の背面１３０ａには、後述するミラーキャビネット１２０の長穴１２６に引っかけられるフック１４０が設けられている。
【００２０】
フック１４０は、水平部１４２、垂直部１４４およびアーム１４６を有する。水平部１４２は、トレイ１３０の背面１３０ａから背面側に向かって水平に延びている。垂直部１４４は、かかる水平部１４２の先端から下方に向かって延びている。すなわち第１実施形態では、側方視において、フック１４０は下向きの逆Ｌ字状の断面形状である。そして垂直部１４４の側面からは、ミラーキャビネット１２０の背面１３０ａに嵌合するアーム１４６が延長するように延びている。すなわちアーム１４６は、垂直部１４４に連続して、長穴１２６の長手方向である横方向に、ミラーキャビネット１２０の背面１２０ａに沿うように延長されている。
【００２１】
図４は、ミラーキャビネット１２０を背面側から観察した図であり、図４（ａ）はトレイ１３０を取り付ける前の状態を示していて、図４（ｂ）は図４（ａ）の長穴１２６近傍の拡大図である。図４（ａ）および（ｂ）に示すように、ミラーキャビネット１２０には、横方向に長いスリット状の長穴１２６が形成されている。
【００２２】
また図４（ａ）および（ｂ）に示すようにミラーキャビネット１２０の背面１２０ａでは、長穴１２６の上側に、下方に向かって開口するひさし１２８が配置されている。これにより、ミラーキャビネット１２０の背面側から長穴１２６を通って埃等がトレイ１３０に入り込むことを好適に防ぐことができる。
【００２３】
図５は、ミラーキャビネット１２０へのトレイ１３０の取付について説明する図である。図５（ａ）および図５（ｂ）は、ミラーキャビネット１２０およびトレイ１３０を側方から観察した断面図であり、図５（ｃ）は、ミラーキャビネット１２０およびトレイ１３０を背面側から観察した断面図である。
【００２４】
トレイ１３０をミラーキャビネット１２０に取り付ける際には、まず図５（ａ）に示すように、トレイ１３０のフック１４０をミラーキャビネット１２０の長穴１２６に挿入する。そして、図５（ｂ）に示すようにトレイ１３０を下方に下げることにより、フック１４０の垂直部１４４がミラーキャビネット１２０の背面１２０ａに引っかかり、トレイ１３０の前後方向の動きが規制される。
【００２５】
そして、図５（ｂ）に示す状態からさらにトレイ１３０を横方向にスライドさせると、図５（ｃ）に示すように、アーム１４６がひさし１２８の側壁１２８ａの下方に配置される。これにより、ミラーキャビネット１２０の背面１２０ａに設けられたひさし１２８の側壁１２８ａは、ミラーキャビネット１２０に装着されたトレイ１３０のアーム１４６の上側に当接して、アーム１４６の上方への移動を規制する突起として機能する。
【００２６】
上記構成によれば、トレイ１３０のフック１４０をミラーキャビネット１２０の長穴１２６に引っかけた状態でトレイ１３０をさらに横方向にスライドさせることにより、トレイ１３０のアーム１４６の上方に配置されたひさし１２８の側壁１２８ａが突起として機能し、アーム１４６の上方への移動が規制される。これにより、物品の出し入れの際のトレイ１３０のがたつきを防ぐことができる。
【００２７】
トレイ１３０は、下方向からの荷重に対してはフック１４０が回転の中心になることから、ミラーキャビネット１２０から外れにくい。トレイ１３０の先端に上方向からの荷重がかかるとトレイ１３０が回転してフック１４０が上方に（外れる方向に）移動しようとする。しかしアーム１４６の上方への移動が突起であるひさし１２８の側壁１２８ａによって規制されるため、フック１４０の上方への移動が抑制される。これにより、上方向からの荷重に対してもミラーキャビネット１２０からのトレイ１３０の脱落を好適に防ぐことができる。
【００２８】
更に、上記説明したようにひさし１２８の側壁１２８ａを突起として機能させることにより、ミラーキャビネット１２０の背面１２０ａの形状を簡略化しつつ、アーム１４６の移動を規制する効果を得ることが可能である。
【００２９】
（第２実施形態）
図６は、第２実施形態の洗面化粧台２００を説明する図である。図６（ａ）および（ｂ）は、ミラーキャビネット２２０およびトレイ２３０を側方から観察した断面図であり、図６（ｃ）は、ミラーキャビネット２２０およびトレイ２３０を背面側から観察した断面図である。なお、第１実施形態の洗面化粧台１００と同一の機能や構成を有する要素については、同一の符号を付すことにより説明を省略する。
【００３０】
図６（ａ）〜（ｃ）に示すように、第２実施形態の洗面化粧台２００は、ミラーキャビネット２２０およびトレイ２３０を含んで構成される。トレイ２３０においても、その背面２３０ａにフック２４０が設けられている。ただし第２実施形態では、側方視において、フック２４０は上向きのＬ字状の断面形状である。
【００３１】
フック２４０は、トレイ２３０の背面２３０ａから延びる水平部２４２、および水平部２４２の先端から上方に延びる垂直部２４４を有している。そして垂直部２４４の側面からは、ミラーキャビネット２２０の背面２３０ａに嵌合するアーム２４６が延びている。すなわちアーム２４６は、垂直部２４４に連続して、長穴１２６の長手方向である横方向に、ミラーキャビネット１２０の背面２２０ａに沿うように延長されている。
【００３２】
一方、ミラーキャビネット２２０の背面２２０ａでは、長穴１２６の下側に、上方に向かって開口するポケット２２８が配置されている。これにより、ミラーキャビネット２２０の背面２２０ａに結露した水滴を、ポケット２２８を通じてミラーキャビネット２２０の表側に排出することができる。
【００３３】
トレイ２３０をミラーキャビネット２２０に取り付ける際には、まず図６（a）に示すように、トレイ２３０を傾けた状態でフック２４０をミラーキャビネット２２０の長穴１２６に挿入する。そして、図６（ｂ）に示すように、トレイ２３０を、フック２４０を中心としてミラーキャビネット２２０に向かって回転させることにより、フック２４０の垂直部２４４がミラーキャビネット２２０の背面２２０ａに引っかかり、トレイ２３０の前後方向の動きが規制される。
【００３４】
そして、図６（ｂ）に示す状態からトレイ２３０を横方向にスライドさせると、図６（ｃ）に示すように、アーム２４６がポケット２２８の側壁２２８ａの上方に配置される。これにより、ミラーキャビネット２２０の背面２２０ａに設けられたポケット２２８の側壁２２８ａは、ミラーキャビネット２２０に装着されたトレイ２３０のアーム２４６の下側に当接して、アーム２４６の下方への移動を規制する突起として機能する。
【００３５】
上記構成によっても、突起として機能するポケット２２８の側壁２２８ａによってアーム２４６の下方への移動が規制されることにより、物品の出し入れの際のトレイ２３０のがたつきを防ぐことができる。トレイ２３０は、上方向からの荷重に対してはミラーキャビネット２２０から外れにくい。トレイ１３０の先端に下方向からの荷重がかかるとトレイ１３０が回転してフック１４０が下方に（外れる方向に）移動しようとする。しかしアーム２４６（フック２４０）の下方への移動が突起であるポケット２２８の側壁２２８ａによって規制されるため、フック１４０の下方への移動（回転）が抑制される。これにより、下方向からの荷重に対してもミラーキャビネット２２０からのトレイ２３０の脱落を好適に防ぐことができる。
【００３６】
更に、上記説明したようにポケット２２８の側壁２２８ａを突起として機能させることにより、ミラーキャビネット２２０の背面２２０ａの形状を簡略化しつつ、アーム２４６の移動を規制する効果を得ることが可能である。
【００３７】
（突起の他の形状）
図７は、突起の他の形状を例示する図である。上述した第１実施形態および第２実施形態では、ひさしの側壁１２８ａやポケットの側壁２２８ａを突起として機能させる構成を説明したが、突起の形状はこれに限定するものではない。例えばミラーキャビネットの背面にひさしやポケットを設けない場合には、図７に示すように、突起として、スライド後のトレイ１３０のアーム１４６の移動を規制する柱状やリブ状の突出部２５０を設ける構成とすることも可能である。
【００３８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３９】
本発明は、ミラーキャビネット、およびミラーキャビネットのミラーの側方に着脱可能なトレイを備える洗面化粧台に利用することができる。
【符号の説明】
【００４０】
１００…洗面化粧台、１１０…洗面カウンター、１１２…水栓、１１４…排水口、１１６…洗面ボール、１１８…収納庫、１２０…ミラーキャビネット、１２０ａ…背面、１２２…ミラー、１２４…照明装置、１２６…長穴、１２８…ひさし、１２８ａ…側壁、１３０…トレイ、１３０ａ…背面、１４０…フック、１４２…水平部、１４４…垂直部、１４６…アーム、２００…洗面化粧台、２２０…ミラーキャビネット、２２０ａ…背面、２２８…ポケット、２２８ａ…側壁、２３０…トレイ、２３０ａ…背面、２４０…フック、２４２…水平部、２４４…垂直部、２４６…アーム、２５０…突出部
【図１】
2018015115.tif 000003
【図２】
2018015115.tif 000004
【図３】
2018015115.tif 000005
【図４】
2018015115.tif 000006
【図５】
2018015115.tif 000007
【図６】
2018015115.tif 000008
【図７】
2018015115.tif 000009